(57)【要約】【課題】画像比率の高い画像出力により、多量のトナーが消費されたときに生じるトナー濃度の低下や、画像濃度の低下、キャリア飛び、トナー濃度ムラによる画像ムラ、トナーエンプティの誤検知などの問題を有効に回避することが可能なトナー濃度制御方法を提供する。【解決手段】トナーと磁性キャリアとからなり、現像器中に充填された二成分系現像剤のトナー濃度を、透磁率センサの出力によって検知し、その出力が一定レベルを超えたときに、該現像器に取り付けられた補給トナー収容容器から該現像器中にトナーを補給するトナー濃度制御方法において、センサの出力値とセンサの出力上昇変化率（ΔＶ／ΔＴ）とにより、トナー補給を行い、トナー補給後には、出力上昇変化率に応じて、一定時間、画像形成サイクルを実行せずに現像剤の攪拌動作のみを実行する。【選択図】  なし。【特許請求の範囲】
【請求項１】
トナーと磁性キャリアとからなり、現像器中に充填された二成分系現像剤のトナー濃度を、透磁率センサの出力によって検知し、その出力が予め設定されたトナー補給電圧を超えたときに、該トナー補給電圧まで出力電圧が低下するまで、該現像器に取り付けられた補給トナー収容容器から該現像器中にトナーを補給するトナー濃度制御方法において、
一定時間当りの前記透磁率センサの出力上昇変化率（ΔＶ／ΔＴ）を計測し、出力上昇変化率が一定の閾値を超えたときにも、前記トナー補給電圧にセンサ出力値が低下するまでトナー補給を行い、
前記出力上昇変化率（ΔＶ／ΔＴ）が前記閾値を超えたときには、次の画像形成工程を行わず、トナー補給停止後には、一定時間、現像剤の攪拌動作のみを行うエージングを実行するとともに、
トナー補給開始から所定時間が経過した時点でセンサ出力値が前記トナー補給電圧にまで低下しない場合には、トナーエンプティの信号を発することを特徴とする二成分現像剤におけるトナー濃度制御方法。
【請求項２】
前記トナー補給電圧よりも高い第２補給電圧を設定しておき、センサ出力値が第２補給電圧を超えたときには、画像形成サイクルを停止してトナー補給が行われる請求項１に記載のトナー濃度制御方法。
【請求項３】
前記出力上昇変化率に複数の閾値を設定し、認識された出力上昇変化率が超えている閾値のレベルが高いほど、エージング実行時間が長く設定されている請求項１に記載のトナー濃度制御方法。
【発明の詳細な説明】
【０００１】
【発明の属する技術分野】
本発明は、複写機、ファクシミリ、レーザープリンタ等の電子写真法による画像形成に使用される二成分系現像剤のトナー濃度制御方法に関する。
【０００２】
【従来の技術】
電子写真法では、感光体表面を所定極性に一様に帯電し、次いで所定の原稿情報に基づいての光照射による画像露光を行って静電荷像を形成し、この電荷像を現像してトナー像を形成し、このトナー像を所定の用紙に転写し、定着ローラでの加熱及び加圧によって該トナー像を用紙に定着することにより、画像形成が行われる。また、トナー像転写後において、感光体表面は、クリーニングブレード等によりクリーニングされて残存するトナーが除去され、さらに必要により光照射等による除電が行われ、次の画像形成行程が行われる。
【０００３】
このような画像形成行程で静電荷像の現像に用いる現像剤としては、トナーと磁性キャリア（例えばフェライトや鉄粉）とからなる二成分系磁性現像剤が代表的である。
【０００４】
この二成分系磁性現像剤は、例えば多数の磁極を有するマグネット内蔵の現像ローラ（感光体に対面する位置に配置されている）と、攪拌及び搬送部材とを備えた現像器中に充填されて現像に供される。即ち、攪拌及び搬送部材によるトナーと磁性キャリアとの摩擦混合によってトナーを所定極性に帯電し、且つ該現像剤を現像ローラ上に供給する。この現像ローラにより、帯電トナーを含む磁気ブラシが形成され、この磁気ブラシを現像域（感光体に対面する部分）に搬送し、静電力を利用して磁気ブラシ中の帯電トナーを感光体上の静電潜像部に付着させることにより、静電潜像の現像、即ちトナー像の形成が行われる。この場合、磁気ブラシ中の磁性キャリアは現像によっては消費されず、そのまま回収され、再び現像器中でトナーと混合されて使用されるが、トナーは現像によって消費される。従って、現像器には、補給用トナーを収容したホッパーやカートリッジなどの補給トナー収容容器が取り付けられており、現像器中のトナー濃度が一定値以下に低下した場合には、この補給トナー収容容器からトナー補給が行われる。
【０００５】
上記のようなトナー濃度の制御は、一般に、磁性キャリアの濃度に比例して出力電圧を発生する透磁率センサを用いて行われる。即ち、センサの出力電圧が一定レベル（トナー補給電圧）を超えた時点でトナー補給を行うことによりトナー補給を行い、トナー補給によっても出力電圧が一定のトナー補給電圧にまで低下しない場合には、トナーエンプティとの信号を発するように構成されているものである。このような透磁率センサを用いてのトナー濃度の制御方法は種々提案されている（例えば特許文献１〜３参照）。
【０００６】
【特許文献１】
特開平１−１３１５８５号公報
【特許文献２】
特開平９−７３２２２号公報
【特許文献３】
特開２００１−２１５７８８号公報
【０００７】
【発明が解決しようとする課題】
しかしながら、上記のような透磁率センサを用いてのトナー濃度制御方法においては、画像比率の高い画像を高濃度で連続して出力する場合など、単位時間当りのトナーの消費量が多いときは、安定した濃度制御を行うには、未だ不十分な点があり、その改善が求められている
【０００８】
即ち、画像比率が６％程度と低い画像出力の場合には、一定の基準レベルのトナー濃度が保持されるようにセンサ出力電圧によって安定した制御が行われるが、画像比率が高い画像を高濃度で出力する場合には、単位時間当たりのトナー消費量が増加するため、ホッパーなどからのトナー補給がトナー消費に追いつかなくなるという問題がある。例えば、画像比率が１００％のベタ画像のように、極端に画像比率の高い画像を、連続して高濃度で出力する場合には、トナー補給が追いつかずに、トナー濃度が極端に低下してしまい、センサ出力が急激に上昇してしまう。しかも、トナー消費位置（即ち、現像域）とセンサ位置とが離れている場合には、トナー濃度が低下した現像剤がセンサ位置に来るまでにタイムラグがあるため、センサ出力が、トナー補給電圧を大幅に超えて急激に上昇してしまい、場合によっては、トナーエンプティを示す電圧レベルを超えてしまうこともある。この結果、現像剤のトナー濃度が極端に低下してしまい、キャリア飛び等の不都合を生じてしまう。
【０００９】
また、現像剤のトナー濃度が極端に低下した後に、トナー補給を行ってセンサの出力レベルを一定の基準レベルに戻したとしても、通常より多量のトナーを短時間で補給するため、現像剤中にトナー濃度の濃い部分と薄い部分とを発生してしまい、現像剤をある程度攪拌しないとセンサ出力が安定せず、トナー補給直後の画像形成動作によりトナーエンプティを誤検知してしまうという不都合をも生じる。また、トナーエンプティを誤検知しないとしても、センサ出力が不安定なため、正常なトナー濃度制御が困難となり、さらに現像剤中のトナー濃度が不均一である場合には、画像ムラなどの問題を生じてしまう。
【００１０】
前述した特許文献１〜３に記載されているトナー濃度制御方法は、上記のような多量のトナーが消費されたときに生じる上記のような問題に対処し得ない。
【００１１】
従って本発明の目的は、多量のトナーが短時間で消費されたときに生じるトナー濃度の低下や、画像濃度の低下、キャリア飛び、トナー濃度ムラによる画像ムラ、トナーエンプティの誤検知などの問題を有効に回避することが可能な二成分系現像剤におけるトナー濃度制御方法を提供することにある。
【００１２】
【課題を解決するための手段】
本発明によれば、トナーと磁性キャリアとからなり、現像器中に充填された二成分系現像剤のトナー濃度を、透磁率センサの出力によって検知し、その出力が予め設定されたトナー補給電圧を超えたときに、該トナー補給電圧まで出力電圧が低下するまで、該現像器に取り付けられた補給トナー収容容器から該現像器中にトナーを補給するトナー濃度制御方法において、
一定時間当りの前記透磁率センサの出力上昇変化率（ΔＶ／ΔＴ）を計測し、出力上昇変化率が一定の閾値を超えたときにも、前記トナー補給電圧にセンサ出力値が低下するまでトナー補給を行い、
前記出力上昇変化率（ΔＶ／ΔＴ）が前記閾値を超えたときには、次の画像形成工程を行わず、トナー補給停止後には、一定時間、現像剤の攪拌動作のみを行うエージングを実行するとともに、
トナー補給開始から所定時間が経過した時点でセンサ出力値が前記トナー補給電圧にまで低下しない場合には、トナーエンプティの信号を発することを特徴とする二成分現像剤におけるトナー濃度制御方法が提供される。
【００１３】
即ち、本発明においては、センサの出力上昇変化率（ΔＶ／ΔＴ）をトナー濃度制御のパラメータとして用いることが重要な特徴である。即ち、センサ出力値のみによる制御では、画像比率の高い画像を高濃度で出力したときには、トナー消費量が多量であるため、前述した種々の問題（トナー濃度の極端な低下、トナー濃度のバラツキ、及びこれらに起因する画像濃度の低下やキャリア飛び、トナーエンプティの誤検知など）を生じる。特に、センサ位置がトナー消費位置と離れている場合には、トナー消費時のトナー濃度とセンサ出力との間にタイムラグがあるため、上記の問題は顕著となる。しかるに、本発明では、センサ出力値に加え、センサの出力上昇変化率（ΔＶ／ΔＴ）をも制御パラメータとしているため、上記のような問題を有効に解決することができる。
【００１４】
即ち、センサ出力値が所定のトナー補給電圧を超えた場合には、出力値がトナー補給電圧に低下するまでトナー補給が行われるが（所謂通常モードの濃度制御）、出力上昇変化率（ΔＶ／ΔＴ）が一定レベルを超えている場合には、画像比率の高い画像が高濃度で連続して出力されており、短時間で多量のトナーが消費される。従って、この時には、センサ出力値にかかわらず、トナー補給を開始する。また、次の画像形成サイクルを行わず（連続して画像形成を実行しているときには、そのときの画像形成サイクル完了した時点で画像形成の実施を中断ないし停止する）、トナー補給停止後、一定時間、エージングを実行する。これにより、急激な多量のトナー消費にもトナー濃度を追随させることができ、また、多量のトナーを短時間で補給することによる濃度ムラの発生を有効に回避することができる。さらに、トナーエンプティの誤検知を防止でき、センサ出力を安定化することができ、その後の画像形成サイクルの実行時において、画像濃度ムラや画像濃度の低下、キャリア飛びなどの不都合も有効に解消することができる。
【００１５】
尚、出力上昇変化率（ΔＶ／ΔＴ）の検出値に応じてトナー補給を行う場合においても、トナー補給は、センサ出力値がトナー補給電圧以下に低下するまで行われる（トナー補給電圧に達した時点でトナー補給を停止する）。この場合、センサ出力値がトナー補給電圧よりも低いときに出力上昇変化率（ΔＶ／ΔＴ）が一定のレベルを超えたときには、センサ出力は直ちにトナー補給電圧を超えてしまうため、上記のように出力上昇変化率を基準として、トナーの補給を行っても問題は生じない。
【００１６】
また、通常モードのトナー補給及び出力上昇変化率によるトナー補給の何れの場合においても、トナー補給開始から一定時間経過した時点で、センサ出力値がトナー補給電圧まで低下しない場合には、トナーエンプティの信号が発せられ、例えばトナー収容容器の交換をユーザーに促すこととなる。
【００１７】
本発明において、上記の出力上昇変化率（ΔＶ／ΔＴ）による制御は、具体的には、用いるセンサ等に応じて、一定の閾値を設定しておき、この閾値を越えたときに、上記のエージングを実行するように設定される。
【００１８】
また、本発明においては、前記出力上昇変化率（ΔＶ／ΔＴ）に複数の閾値を設定しておくことも可能であり、その閾値のレベルが高いほど、エージング実行時間を長く設定することが好ましい。即ち、認識された出力上昇変化率が高いほど、画像比率の高い画像が出力されていることを意味するから、上記のように複数の閾値を設定してエージング時間を調整することにより、例えば画像比率が１００％ベタ画像を高濃度で出力した場合にも、上述した問題を有効に回避することができる。
【００１９】
【発明の実施の形態】
本発明方法の実施に使用される現像器の構造を示す図１及び図２において（図１は現像器の側断面を感光体ドラムと共に示す図であり、図２は、現像器の平面断面図である）、全体として９で示す現像器９は、感光体ドラム７とともに、画像形成装置内に設けられ、感光体ドラム７の近傍に配置されている。尚、図１では示されていないが、感光体ドラム７の周りには、現像器９と共に、主帯電器、露光用光学系、転写装置及びクリーニング装置が設けられている。即ち、感光体ドラム７の回転方向に沿って、主帯電器、露光用光学系、現像器９、転写装置及びクリーニング装置の順に位置している。
【００２０】
画像形成に際しては、主帯電器によって感光体ドラム７の表面が、所定極性に一様に帯電され、次いで、所定の画像情報に基づいて光学系により感光体ドラム７表面にレーザ光等が照射され（画像露光）、光照射部の電位低下によって静電潜像が形成される。感光体ドラム７に形成された静電潜像は、現像器９内に充填された現像剤によって現像され、電位低下部分にトナー像が付着することにより、トナー像が形成される。このトナー像は、転写装置と感光体ドラム７との間に導入された転写紙上に転写される。トナー像が転写された転写紙は、画像形成装置内に設けられている定着装置内に導入され、熱及び圧力によってトナー像が転写紙表面に定着された後、画像形成装置の外部に排紙される。また、トナー像の転写後には、クリーニング装置によって、感光体ドラム７表面に残存するトナーが除去され、必要により除電され、画像形成の一サイクルが終了し、次の画像形成サイクルが行なわれることとなる。
【００２１】
現像器９は、２０で示すハウジング内に、パドル２１、スパイラル２２及び現像ロール２３を備え、且つフェライト、鉄粉などの磁性キャリアとトナーとの混合物からなる二成分系現像剤が充填されている。
【００２２】
パドル２１とスパイラル２２は、図２から明らかな通り、互いに平行に延びており、且つ互いに反対方向に現像剤を搬送するように設けられている（この例では、互いに反対方向に回転するように設けられている）。また、スパイラル２２とパドル２１との中央部分は、仕切り壁２４で仕切られており、スパイラル２２とパドル２１とによって混合されながら現像剤が循環して搬送されるようになっている。さらに、スパイラル２２の近傍に位置するハウジング２０の壁には透磁率センサ２５が設けられ、キャリア濃度に比例する出力値からトナー濃度が検知されるようになっている。
【００２３】
また、現像ロール２３は、内部にマグネットを備え、磁気ブラシの形で現像剤を搬送するものであり、パドル２１に隣接して平行に延びており、且つハウジング２０に形成されている開口を介して感光体ドラム７に対面している。パドル２１と現像ロール２３との間の上部には、ガイド板２６が設けられ、パドル２１から現像ロール２３への現像剤の供給がスムーズに行い得るようになっている。また、現像ロール２３と一定のクリアランスで穂切ブレード２７が設けられ、このブレード２７によって磁気ブラシの穂長調整が行なわれるようになっている。
【００２４】
即ち、トナーと磁性キャリアとからなる現像剤は、スパイラル２２とパドル２１とにより混合攪拌されながらスパイラル２２とパドル２１との間を循環して搬送される。この混合攪拌によってトナー及びキャリアが所定極性に摩擦帯電され、且つパドル２１による搬送経路中で現像ロール２３上に現像剤が供給される。現像ロール２３上で現像剤は磁気ブラシを形成し、ブレード２７により穂長調整されて現像域（感光体ドラム７と対面する領域）に供給され、現像が行われる。
【００２５】
現像は、それ自体公知の方法で行われ、例えば現像ロール２３と感光体ドラム７との間に所定の現像バイアスを印加し、磁気ブラシ中の帯電トナーを、感光体ドラムの潜像部（例えば電位低下部分）に付着することにより現像が行われる。この際、現像ロール２３上の現像剤磁気ブラシと感光体ドラム７表面とは、接触でも非接触でもよい。上記の現像によって消費されなかったトナー及び磁性キャリアは、磁気ブラシの形で現像ロール２３に回収され、再利用される。
【００２６】
ところで、現像剤中のトナー濃度は、適正な画像を形成するために、一定の範囲、例えば３乃至６重量％程度の範囲に保持されていることが必要であるが、上記の現像によって、トナーのみが消費され、トナー濃度は次第に低下する。トナー濃度が極端に低下すると、画像濃度が低下するばかりか、キャリア飛びなどを生じてしまう。このために、現像器９には、トナーホッパーＨが設けられており、このトナーホッパーＨからトナーが補給されるようになっている。
【００２７】
トナーホッパーＨには、補給用ローラ２８が設けられており、この補給ローラ２８は、コントローラ２９を介して前記透磁率センサ２５と連動するようになっている。さらに、トナーホッパーＨ内には、攪拌板３０が設けられており、攪拌下に補給用ローラ２８を介して、トナーが現像器９内に補給される。補給ローラ２８によるトナー補給位置は、通常、センサ２５による検出部Ｄに対して現像剤搬送方向下流側に設定されている。
【００２８】
トナー濃度を一定範囲に保持するために、透磁率センサ２５を用いてトナー濃度制御が行われるが、本発明では、以下のようにして、センサ出力電圧による制御（通常モードの制御）とセンサ出力上昇変化率（ΔＶ／ΔＴ）による制御とによって、トナー濃度の制御が行われる。
【００２９】
センサ２５の出力電圧値と時間との関係を示す図３を参照して、この出力電圧値はキャリア濃度に比例するものであり、トナー濃度が低下するほど、出力値は高くなる。即ち、この出力値を経時的に計測していくことにより、出力電圧による通常モードの制御と出力上昇変化率による制御とが行われるのである。
【００３０】
（通常モードによる制御）
通常モードの制御は、基本的には、従来公知と同様に行われるものであり、かかる制御のために、一般に、トナー補給電圧（以下、基準レベルと呼ぶことがある）と、基準レベルよりも高い第２トナー補給電圧（以下、ＴＥレベルと呼ぶことがある）との２つの閾値を設定しておく。
【００３１】
基準レベル（トナー補給電圧）は、多少のトナー消費があっても安定な画像を形成し得るトナー濃度に対応する出力値であり、図３の例では２Ｖに設定されている。
【００３２】
また、ＴＥレベル（第２補給電圧）は、それ以上トナーが消費されると、画像濃度が不安定となり、キャリア飛びなどが生じるおそれもあるため、画像形成サイクルを停止してトナー補給が行われるレベルを示すものであり、従って、基準レベルよりも高く、図３の例では、３Ｖに設定される。
尚、上記の基準レベル及び補給レベルの出力値は、用いるセンサの感度等によって当然異なるものであり、上記の数値（２Ｖ，３Ｖ）は、単なる一例である。
【００３３】
即ち、通常モードでは、基本的には、センサ出力電圧（出力値）が基準レベルを超えると、コントローラ２９を介して補給用ローラ２８が駆動してトナー補給がなされる。この際には、画像形成サイクルはそのまま実行することができ、例えば連続して画像形成サイクルを実行している場合には、引き続いて画像形成サイクルを実行することができる。
【００３４】
そして、トナー補給から一定時間が経過したときに、センサ出力値が基準レベルにまで低下しないときには、トナーエンプティの信号が発せられ、トナーホッパーＨの交換を促す。また、トナー補給から一定時間が経過したときに、センサ出力値が基準レベルにまで低下したときには、トナー補給を停止する。
【００３５】
さらに、通常モードにおいて、トナー補給にもかかわらず、センサ出力値がＴＥレベルを越えてしまったときは、画像形成サイクルは停止されてトナー補給が行われる。即ち、この場合、連続して画像形成サイクルが行われていたときには、ＴＥレベルを越えた時点での画像形成サイクルが完了した後、続いての画像形成サイクルは、中断される。
【００３６】
（出力上昇変化率による制御）
ところで、上記のセンサ出力値のみの通常モードによる濃度調整では、画像比率の高い画像を連続して出力した場合には対処できない。即ち、センサ２５による検出部Ｄは、トナー消費部（現像領域）とは、最低でもＬ２の間隔がある（図２参照）。このため、センサ２５により検出されるトナー濃度とトナー消費部でのトナー濃度とにはタイムラグを生じている。従って、画像比率の高い画像、例えば画像比率が１００％のベタ画像を出力した場合などでは、急激に多量のトナーが消費されてしまい且つトナー補給のタイミングが遅れている結果、センサ出力値が基準レベルを大幅に超えてしまい、著しいトナー濃度の低下及び画像濃度の低下がもたらされ、場合によってはＴＥレベルをも越えてしまい、キャリア飛びなども生じてしまう。また、トナー補給により基準レベルにまで出力値を戻したとしても、多量のトナー消費に追随させるような多量のトナー補給は、トナー濃度ムラを生じ、センサ出力が不安定となったり、場合によっては、トナーエンプティの誤検知を生じることもある。
【００３７】
しかるに、本発明においては、センサ出力値による通常モードによる制御に加え、センサ出力上昇変化率（ΔＶ／ΔＴ）に基づいてのトナー濃度制御を行うことにより、上記のような不都合を有効に回避することができる。
【００３８】
具体的には、センサ出力値とともに、出力上昇変化率（ΔＶ／ΔＴ）を計測し、この変化率（ΔＶ／ΔＴ）が一定の閾値を超えた場合には、前述したセンサ出力値にかかわらず、トナー補給を行い、且つ画像形成サイクルは停止する。即ち、変化率（ΔＶ／ΔＴ）が一定の閾値を超えた時点での画像形成サイクルが完了した後、次の画像形成サイクルの実行は行わない。この変化率（ΔＶ／ΔＴ）はトナー消費量に対応するものであり、この変化率（ΔＶ／ΔＴ）が大きいほど、トナー消費量が多いこと、換言すると画像比率の高い画像が高濃度で連続的に出力されていることを意味するからである。このような変化率（ΔＶ／ΔＴ）によってトナー補給を行うことにより、出力値が基準レベルを大幅に超えてしまい、或いはさらにＴＥレベルをも越えてしまうことを回避でき、トナー濃度の著しい低下や、それに起因する画像濃度の低下、或いは更に、キャリア飛びなどの不都合を有効に回避することができる。
【００３９】
また、出力上昇変化率（ΔＶ／ΔＴ）によるトナー補給を行った場合には、その変化率に応じて、エージングを行う。このエージングは、トナー無補給状態で且つ画像形成サイクルの停止状態で、現像剤の攪拌搬送のみを行うものであり、例えば現像器９内のスパイラル２２及びパドル２１のみを駆動させて現像剤の攪拌しながら現像器９内を循環させることにより行われる。かかるエージングにより、多量のトナーが補給された場合にも濃度ムラがなく、一定のトナー濃度を確保することができ、またトナーエンプティの誤検知も防止することができる。
【００４０】
上記のエージングは、出力上昇変化率（ΔＶ／ΔＴ）が高いほど長い時間行うことが好ましい。即ち、この変化率（ΔＶ／ΔＴ）が高いほど、画像比率が大きく、急激に多量のトナーが消費される結果として、多量のトナーが供給されるからである。従って、前述したトナー補給のための閾値とは別個に、複数の閾値を設定しておき、かかる閾値に対してのトナー補給後のエージング時間を設定しておくことができる。これにより、ベタ画像の如き画像比率が著しく高い画像が高濃度で連続的に出力が行われた場合から、画像比率が比較的高い画像（例えば写真画像と文字画像が混在しているようなもの）が高濃度で出力された場合にまで、不必要にエージングに時間をかけることなく、有効に対処することができる。例えば、変化率（ΔＶ／ΔＴ）が一定値以下の場合には、エージング時間をゼロ、即ち、エージングを行わないようにすることも可能である。
【００４１】
尚、上記のような出力上昇変化率（ΔＶ／ΔＴ）の計測は、ΔＴを比較的長く（例えば毎分３０枚の画像出力が可能な場合は２５０ｍｓｅｃ程度）とって行うのがよい。ΔＴを短時間として変化率（ΔＶ／ΔＴ）を計測すると、その変動が大きくなって、計測が不安定となってしまうためである。
【００４２】
上記のように、トナー補給後にエージングが行われた後、画像形成サイクルが再開されることとなる。
【００４３】
尚、本発明において、通常モード及び出力上昇変化率によるトナー補給は、単位時間で一定量のトナー量が補給される限りにおいて、例えば補給ローラ２８を連続的に回転して連続的に行ってもよいし、補給ローラ２８を間欠的に回転して断続的に行ってもよい。
【００４４】
【実施例】
以下、実施例に基づいて本発明を説明する。
【００４５】
京セラミタ製の大型デジタル複写機を改造し、図１に示すように透磁率センサを取り付けた。この透磁率センサの感度は１Ｖ／１％（トナー濃度の１％変化に対して出力値が１Ｖ変化する）である。
また、現像器中に充填された現像剤は、正帯電トナーとフェライトキャリアとの混合物であり、その初期トナー濃度は５重量％に設定した。
【００４６】
また、トナーホッパーからのトナー落下量は５〜１０ｇ／分であった。
【００４７】
さらに、Ａ０紙に画像形成を行う場合において、最高濃度で出力したときの画像比率とトナー消費量との関係は、以下の通りであった。
2004317960.tif 000002
【００４８】
実施例１
センサ出力値において、基準レベルを２Ｖ、ＴＥレベルを３Ｖに設定すると同時に、センサ出力上昇変化率（ΔＶ／ΔＴ）の閾値を６ｍＶ／秒に設定し、該変化率（ΔＶ／ΔＴ）がこの閾値以上でトナー補給を行い、且つエージングを５分間行い、該閾値以下の変化値でトナー補給が行われる場合には、エージングを行わないように設定した。尚、出力変化値が６ｍＶ／秒は、Ａ０紙での画像形成において、約３０％の画像比率の画像を最大濃度で出力するときのトナー消費量に匹敵する。
【００４９】
上記の条件で、Ａ０紙を使用し、画像比率１００％のベタ画像を最大濃度で連続して出力したところ、安定にトナー濃度の制御が行うことができ、トナーエンプティの誤検知や画像濃度の低下、キャリア飛びなどの不都合も生じなかった。
【００５０】
実施例２
センサ出力上昇変化率（ΔＶ／ΔＴ）の閾値を１３ｍＶ／秒（Ａ０紙で画像比率５０％に対応）及び４ｍＶ／秒（Ａ０紙で画像比率１５％に対応）に設定し、エージング時間を以下のように設定した。
１３ｍＶ／秒以上：  ６分
１３ｍＶ／秒未満４ｍＶ／秒以上：  ４分
４ｍＶ／秒未満：  ２分
【００５１】
さらに、出力上昇変化率（ΔＶ／ΔＴ）が１３ｍＶ／秒以上でトナー補給を行うように設定するとともに、センサ出力値については、実施例１と全く同様に設定した。
【００５２】
上記の制御条件を採用し、Ａ０紙について、画像比率１００％、５０％、２５％、１５％及び６％の画像出力を、それぞれ連続して行った。何れの場合も、安定にトナー濃度の制御が行うことができ、トナーエンプティの誤検知や画像濃度の低下、キャリア飛びなどの不都合も生じなかった。
【００５３】
比較例１
出力上  昇変化率（ΔＶ／ΔＴ）に関する設定を全く行わなかった以外は実施例１と同様の制御条件を設定し、画像比率１００％のベタ画像を最大濃度で連続して出力したところ、トナーエンプティの誤検知や画像濃度の低下、キャリア飛びなどの不都合がしばしば生じた。
【００５４】
【発明の効果】
本発    明によれば、ベタ画像のように、画像比率の高い画像出力により、多量のトナーが消費されたときにも、トナー濃度の低下や、画像濃  度の低下、キャリア飛び、トナー濃度ムラによる画像ムラ、トナーエンプティの誤検知などを有効煮回避し、安定してトナー濃度の制御を行うことができる。
【図面の簡単な説明】
【図１】本発明方法の実施に使用される現像器の構造を示す側断面図。
【図２】図１の現像器の平面断面図。
【図３】透磁率センサの出力値と時間との関係を示す図。
【符号の説明】
７：感光体ドラム
９：現像器
２１：パドル
２２：スパイラル
２３：現像ロール
２５：透磁率センサ
２８：補給用ローラ
【図１】
2004317960.tif 000003
【図２】
2004317960.tif 000004
【図３】
2004317960.tif 000005